(57)【特許請求の範囲】
【請求項１】
円盤状の扁平型電池を保持する保持ケースであって、  
前記扁平型電池は、第１の電極面を兼ねる封口板と第２の電極面を兼ねる電池ケースとがリング状のガスケットを介して密閉された構成をなし、
前記保持ケースは、前記扁平型電池の電極面から出し入れ可能な開口端面を有する、樹脂製の箱形形状をなしており、
前記保持ケースの側面部には、前記開口端面側の周縁部から径方向内側に突出する突出部が形成されており、
前記突出部は、前記保持ケースの底面部から、前記扁平型電池の厚みよりも大きい距離離れた位置に形成されており、かつ、前記突出部の内径は、前記ガスケットの露出部における内径よりも小さい、電池保持ケース。
【請求項２】
前記突出部は、リング状に形成されており、前記突出部の内径は、前記扁平型電池の外径よりも小さい、請求項１に記載の電池保持ケース。
【請求項３】
前記保持ケースの開口端面近傍の側面部には、スリットが形成されている、請求項１に記載の電池保持ケース。
【請求項４】
前記突出部は、前記保持ケースと一体成形されている、請求項１に記載の電池保持ケース。
【請求項５】
前記保持ケースの底面部には、他の部位よりも厚みの薄い薄肉部が形成されている、請求項１に記載の電池保持ケース。
【請求項６】
前記保持ケースは、前記扁平型電池の電極面から出し入れ可能な第１の開口端面と、該第１の開口端面と反対側であって、前記扁平型電池の電極面から出し入れ可能な第２の開口端面とを有する、樹脂製の箱形形状をなしており、 
前記保持ケースの側面部には、前記第１の開口端面側の周縁部から径方向内側に突出する第１の突出部、及び前記第２の開口端面側の周縁部から径方向内側に突出する第２の突出部が形成されており、
第１の突出部１５ａと第２の突出部１５ｂとの距離は、電池１の厚みよりも大きく形成されている、請求項１に記載の電池保持ケース。
【請求項７】
前記保持ケースの側面部又は／及び底面部の外表面には、催吐剤が付与されている、請求項１に記載の電池保持ケース。
【請求項８】
前記保持ケースの底面部の外表面には、前記扁平型電池の取り扱いが表示されている、請求項１に記載の電池保持ケース。
【請求項９】
前記突出部は、前記保持ケースの開口端面側周縁部に揺動可能に支持されている、請求項２に記載の電池保持ケース。
【請求項１０】
請求項１〜９の何れかに記載の電池保持ケースに保持された扁平型電池を収容する収容室を備えた電池包装体であって、
前記電池包装体は、
前記扁平型電池を収容する収容室が形成されたカバー本体と、
前記カバー本体の凹部を閉塞する基材と
で構成されたブリスターパックからなる、電池包装体。
【発明の詳細な説明】
【技術分野】
【０００１】
本発明は、円盤状の扁平型電池を保持する電池保持ケース、及びそれを収容する収容室を備えた電池包装体に関する。
【背景技術】
【０００２】
コイン電池等の円盤状の扁平型電池は、小型薄型化されているため、幼児が誤って飲み込むおそれがある。
【０００３】
そのため、コイン電池を電源とする電子機器は、幼児が簡単に電池を取り出せないように、コイン電池を収容する収容室にロック機構を設けて、誤飲防止を図っている。
【０００４】
しかしながら、コイン電池の入った電池包装体から電池を取出したが、電池を交換しないまま不用意に放置されたり、幼児自身がブリスターパックを破ってしまったりした場合、幼児がコイン電池を誤飲するおそれもある。また、コイン電池を誤飲すると、唾液などで水の電気分解が生じて、コイン電池からアルカリ性の液体を生成し、生体にダメージを及ぼすおそれもある。 
【０００５】
また、交換したコイン電池は、短絡しないように樹脂テープを貼るなど、絶縁処理して捨てるように啓蒙されているが、沢山のコイン電池が絶縁されず裸のまま回収箱に積み込まれると、重なった電池同士でブリッジして回路形成し、短絡するおそれがある。特にコイン電池に容量が残っている場合には、短絡により発熱・破裂・漏液のおそれもある。
【０００６】
そこで、コイン電池の表面に、苦味剤等の幼児が忌避する物質を塗布しておくことによって、幼児が誤ってコイン電池を口に含んだ場合に、即座に電池を吐き出させ、体内への飲み込みを防止する対策が、特許文献１等に記載されている。
【０００７】
また、コイン電池を、電極端子を除いて外形が角形の絶縁物で覆うことによって、幼児が誤ってコイン電池を口に含んでも、口の中で違和感を感じて、体内に飲み込むのを防止する対策が、特許文献２に記載されている。
【先行技術文献】
【特許文献】
【０００８】
【特許文献１】特開昭５９−４４７６２号公報
【特許文献２】実開昭５９−１９２２６２公報
【発明の概要】
【発明が解決しようとする課題】
【０００９】
コイン電池の表面に苦味剤等の物質を塗布すると、コイン電池を電子機器に装着した際、接触不良を起こすという問題がある。
【００１０】
また、コイン電池を角形の絶縁物で覆うと、コイン電池の外形寸法が変わってしまうため、コイン電池の汎用性が損なわれ、使用できる電子機器の範囲が制限される等の問題がある。
【００１１】
さらに、裸のコイン電池を回収する際に発生する短絡事故は、未だ有効な対策がなされていない。特に、複数のコイン電池が、各コイン電池の正極と負極とが接触した状態で積み重なると、複数のコイン電池による短絡チェーンが発生するため、短絡電流により発熱して、発火に至るおそれもある。
【００１２】
本発明は、かかる点に鑑みなされたもので、その主な目的は、円盤状の扁平型電池の誤飲を防止し、かつ誤飲されても生体へのダメージを大幅に軽減することのできる電池保持ケース、さらには円盤状の扁平型電池を回収する際の短絡事故を防止することのできる電池保持ケースを提供することにある。
【課題を解決するための手段】
【００１３】
本発明に係る電池保持ケースは、円盤状の扁平型電池を保持する保持ケースであって、扁平型電池は、第１の電極面を兼ねる封口板と第２の電極面を兼ねる電池ケースとがリング状のガスケットを介して密閉された構成をなし、保持ケースは、扁平型電池の電極面から出し入れ可能な開口端面を有する、樹脂製の箱形形状をなしており、保持ケースの側面部には、開口端面側の周縁部から径方向内側に突出する突出部が形成されており、突出部は、保持ケースの底面から、扁平型電池の厚みよりも大きい距離離れた位置に形成されており、かつ、突出部の内径は、ガスケットの露出部における内径よりも小さい。
【００１４】
このような構成により、保持ケースの側面部には、開口端面側の周縁部から径方向内側に突出する突出部が形成されているため、交換された電池を、この電池保持ケースに収納して回収すれば、回収の際の短絡事故、特に、短絡チェーンの発生を防止することができる。
【００１５】
本発明に係る電池包装体は、扁平型電池が電池保持ケースに保持された状態で、電池包装体の収容室に収容されている。このような形態で市場に流通した電池包装体を購入したユーザは、電池包装体から、扁平型電池が保持された電池保持ケースを取り出し、さらに、電池保持ケースから電池を取り出して、電子機器に装着する。従って、電池包装体から取り出された扁平型電池が、電子機器に装着するまで放置されていた場合でも、電池は電池保持ケースに保持されているため、幼児が電池を誤飲するのを防止することができる。加えて、誤飲してしまった場合でも電池が唾液などの水に触れにくいため、アルカリ性の液体を生成しにくく、生体へのダメージが大幅に軽減される。さらに、電池を交換する際に出てきた廃棄電池を、新品電池から手元に残った電池保持ケースにすぐに収納することにより、回収の際の短絡事故を防止することができる。
【発明の効果】
【００１６】
本発明によれば、簡単な構成で、電池の誤飲に対する予防策、生体ダメージの軽減策を取ることができ、円盤状の扁平型電池を回収する際の短絡事故を防止することのできる電池保持ケースを提供することができる。
【図面の簡単な説明】
【００１７】
【図１】本発明の第１の実施形態における円盤状の扁平型電池の構成を示した断面図である。
【図２】（ａ）〜（ｃ）は、本発明の第１の実施形態における電池を保持ケースに保持するステップを示した断面図である。
【図３】本発明の第１の実施形態における保持ケースの他の構成を示した斜視図である。
【図４】電池を保持した状態の保持ケースを示した断面図である。
【図５】本発明の第１の実施形態における変形例を示した断面図である。
【図６】（ａ）〜（ｃ）は、本発明の第１の実施形態における変形例を示した断面図である。
【図７】（ａ）〜（ｃ）は、本発明の第２の実施形態における電池を保持ケースに保持するステップを示した断面図である。
【図８】本発明の第２の実施形態における保持ケースの構成を示した平面図である。
【図９】本発明の第２の実施形態における電池包装体の構成を示した図で、（ａ）は平面図、（ｂ）は（ａ）のＢ−Ｂ線に沿った断面図である。
【図１０】（ａ）〜（ｃ）は、本発明の第２の実施形態における電池を保持ケースに保持する他のステップを示した断面図である。
【図１１】図１０（ｃ）に示した状態の保持ケースを拡大した断面図である。
【図１２】本発明の第２の実施形態における保持ケースの変形例を示した斜視図である。
【図１３】本発明の第２の実施形態における保持ケースの他の変形例を示した断面図である。
【図１４】（ａ）、（ｂ）は、異なる厚みを有する電池を、それぞれ保持ケースに保持するステップを示した断面図である。
【発明を実施するための形態】
【００１８】
以下、本発明の実施形態を図面に基づいて詳細に説明する。なお、本発明は、以下の実施形態に限定されるものではない。また、本発明の効果を奏する範囲を逸脱しない範囲で、適宜変更は可能である。
【００１９】
（第１の実施形態）
図１は、本発明の第１の実施形態における円盤状の扁平型電池１の構成を模式的に示した断面図である。ここで、円盤状の扁平型電池１は、コイン電池やコイン電池等の形状が薄型円盤状の電池をいう。また、電池の種類は問わず、例えば、一次電池であっても、二次電池であってもよい。以下、円盤状の扁平型電池１を単に「電池」という。なお、図１に例示した電池は、リチウム電池である。
【００２０】
図１に示すように、リチウムまたはリチウム合金を負極活物質とする負極２と、フッ化黒鉛を正極活物質とする正極３とが、セパレータ４を挟んで、電池ケース５に電解液と共に収容されている。電池ケース５の開口部は、リング状のガスケット７を介して、封口板６で封口されている。正極３は電池ケース５の底部に接触し、電池ケース５の底面は正極面を兼ねる。また、負極２は封口板６に接触し、封口板６の上面は負極面を兼ねる。ここで、負極面６の外径は、正極面５の外径よりも小さく、かつ、負極端子は、突起状電極部をなしている。
【００２１】
図２（ａ）〜（ｃ）は、電池１を電池保持ケース（以下、単に「保持ケース」という）１０に保持する（収容する）ステップを示した断面図である。なお、電池１は、正極面５及び負極面６のみ表示している。
【００２２】
図２（ａ）に示すように、保持ケース１０は、電池１の側面又は／及び底面を保持する側面部１３及び底面部１４と、電池１を、電池１の電極面から出し入れ可能な開口端面１３ａとを有する、樹脂製の箱形形状をなしている。これにより、保持ケース１０は、電池１を出し入れ可能な開口部１２と、電池１が収納される収納部１１とを有する。また、保持ケース１０の側面部１３には、開口端面１３ａ側の周縁部から径方向内側に突出する突出部１５が形成されており、突出部１５は、保持ケース１０の底面部から、電池１の厚みよりも大きい距離離れた位置に形成されている。また、突出部１５は、リング状に形成されており、突出部の内径Ｄ１は、電池の外径Ｄ２よりも小さい。また、突出部１５は、保持ケース１０と一体成形されている、
図２（ａ）に示すように、電池１を矢印の方向に保持ケース１０の収納部１１に挿入すると、図２（ｂ）に示すように、電池１の正極面５の周縁部が突出部１５に当たる。ここで、保持ケース１０を変形可能な弾性部材で構成しておけば、図２（ｂ）に示すように、電池１が保持ケース１０の収納部１１に進入するに従い、保持ケース１０の側面部１３は、径方向外向に広がりながら変形する。そして、図２（ｃ）に示すように、電池１が突出部１５を通過した後、保持ケース１０の側面部１３は、その弾性により元の位置まで戻る。この状態で、電池１は、保持ケース１０の側面部１３に支持された状態で、収納部１１内に保持される。
【００２３】
本発明において、保持ケース１０の側面部には、開口端面１３ａ側の周縁部から径方向内側に突出する突出部１５が形成されているため、交換された電池１を、この保持ケース１０に収納して回収すれば、回収の際の短絡事故の発生を防止することができる。特に、突出部１５が、保持ケース１０の底面部１４から、電池１の厚みよりも大きい距離離れた位置に形成されているため、電池１は、保持ケース１０の収納部１１において、突出部１５よりも底面部１４側に収納される。そのため、電池１の正極面５は、保持ケース１０の開口端面１３ａから離れた位置にある。従って、回収の際、万一、保持ケース１０が積み重なっても、電池１同士の接触による短絡事故の発生を防止することができる。
【００２４】
ここで、保持ケース１０の側面部１３又は／及び底面部１４の外表面に催吐剤を付与しておいてもよい。これにより、万一、幼児が誤って電池１を口に含んだ場合でも、即座に電池を吐き出させ、体内への飲み込みを防止することができる。なお、電池１自体には、催吐剤が付与されていないため、電池１を電子機器に装着した際、接触不良を起こすことはない。
【００２５】
本実施形態において、保持ケース１０に用いられる樹脂材料は限定されるものではないが、図２（ｂ）に示すように、その側面部１３が、外方向に広がりながら変形する程度に柔軟な樹脂材料で構成されていることが好ましい。保持ケース１０の樹脂材料としては、例えば、ゴムのような性質をもつオムオレフィン系エラストマーの樹脂を用いることができる。
【００２６】
また、保持ケース１０の側面部１３を、より変形しやすくするために、図３の斜視図に示すように、保持ケース１０の開口端面１３ａ近傍の側面部１３に、スリット３０を形成しておくことが好ましい。ここで、スリット３０の形状、大きさ、個数等は特に限定されないが、例えば、図３に示すように、リング状の開口端面１３ａに沿って、均等な間隔で、複数のスリット３０を形成してもよい。
【００２７】
また、図２（ｃ）に示すように、保持ケース１０の底面部１４には、他の部位よりも厚みの薄い薄肉部１４ｂを形成しておくことが好ましい。これにより、電池１を保持ケース１０から取り出す際、保持ケース１０の底面部１４の薄肉部１４ｂを押すことによって、保持ケース１０の側面部１３が外方向に広がりやすくなり、電池１の取り出しがより容易になる。
【００２８】
なお、図２（ｃ）では、電池１の負極面６を、保持ケース１０の底面部１４に向けて、保持ケース１０内に収納したが、図４に示すように、電池１の正極面５を、保持ケース１０の底面部１４に向けて、保持ケース１０内に収納してもよい。この場合でも、電池１は、保持ケース１０の収納部１１において、突出部１５よりも底面部１４側に収納されているため、電池１の負極面６は、保持ケース１０の開口端面１３ａから離れた位置にある。従って、回収の際、万一、保持ケース１０が積み重なっても、電池１同士の接触による短絡事故の発生を防止することができる。
【００２９】
本実施形態における突出部１５の形状は、特に限定されず、リング状に形成する他、保持ケース１０の側面部の内周に沿って、複数個の突出部１５を等間隔に形成してもよい。
【００３０】
図５は、本発明の第１の実施形態における変形例を示した図である。
【００３１】
図５に示すように、本変形例では、保持ケース１０の底面部１４に、開口部１２ｂが設けられている。図２（ａ）〜（ｃ）に示したのと同様に、電池１を開口部１２ａ側から保持ケース１０の収納部１１に挿入すると、保持ケース１０の側面部１３は、径方向外向に広がりながら変形し、電池１が突出部１５を通過した後、電池１は、保持ケース１０の側面部１３に支持された状態で、収納部１１内に保持される。このとき、収納部１１内に挿入された電池１は、底面部１４の開口端部１４ｃがストッパーとなって、開口部１２ｂから抜け落ちることはない。
【００３２】
本変形例においては、保持ケース１０の収納部１１内に保持された電池１を取り出す際、保持ケース１０の開口部１２ｂから電池１を押すことによって、容易に電池１を取り出すことができる。
【００３３】
なお、万一、電池１が保持された状態の保持ケース１０を誤飲した場合、唾液等による水の電気分解は、図１に示した電池１において、ガスケット７が露出した封口部近傍で起きる。そのため、このような誤飲が生じた場合でも、電気分解による生体へのダメージを防止するために、図５に示したように、ガスケット７の露出部を含む空間４０に唾液等が侵入しないよう、開口端部１４ｃが、電池１の負極面６（もしくは正極面５）に当接するように、開校端部１４を収納部１１側に傾斜させておくことが好ましい。
【００３４】
なお、本実施形態において、保持ケース１０の箱形形状は、特に限定されず、電池１の電極面から出し入れ可能な開口端面、及び側面部を有するものであれば、どうような形態のものでもよい。例えば、外形が、平面視で円形のものでけでなく、多角形であってもよい。
【００３５】
図６（ａ）、（ｂ）は、本発明の第１の実施形態における他の変形例を示した図である。
【００３６】
図６（ａ）に示すように、本変形例における保持ケース１０は、電池１の電極面から出し入れ可能な第１の開口端面１３ａと、第１の開口端面１３ａと反対側であって、電池１の電極面から出し入れ可能な第２の開口端面１３ｂとを有する、樹脂性の箱形形状をなしている。これにより、保持ケース１０は、電池１を、２方向から出し入れ可能な開口部１２ａ、１２ｂと、電池１が収納される収納部１１とを有する。また、保持ケースの側面部１３には、第１の開口端面１３ａ側の周縁部から径方向内側に突出する第１の突出部１５ａ、及び第２の開口端面１３ｂ側の周縁部から径方向内側に突出する第２の突出部１５ｂが形成されており、第１の突出部１５ａと第２の突出部１５ｂとの距離は、電池１の厚みよりも大きく形成されている。
【００３７】
図６（ａ）に示すように、電池１を、例えば、開口部１２aの方から、矢印の方向に保持ケース１０の収納部１１に挿入すると、保持ケース１０の側面部１３が径方向外向に広がりながら変形して、図６（ｂ）に示すように、電池１が、保持ケース１０の側面部１３に支持された状態で、収納部１１内に保持される。なお、収納部１１内に挿入された電池１は、開口部１２ｂ側に形成された突出部１５ｂがストッパーとなって、開口部１２ｂから抜け落ちることはない。これにより、電池１は、第１の突出部１５ａと第２の突出部１５ｂとの間の収納部１１内に収納される。
【００３８】
本変形例において、保持ケース１０の側面部１３には、開口端面１３ａ、１３ｂ側の周縁部から径方向内側に突出する突出部１５a、１５ｂが形成されているため、交換された電池１を、この保持ケース１０に収納して回収すれば、回収の際の短絡事故の発生を防止することができる。特に、第１の突出部１５ａと第２の突出部１５ｂとの距離が、電池１の厚みよりも大きく形成されているため、電池１は、保持ケース１０の収納部１１において、第１の突出部１５ａと第２の突出部１５ｂとの間に収納される。そのため、電池１の電極面は、保持ケース１０の開口端面１３ａ、１３ｂから離れた位置にある。従って、回収の際、万一、保持ケース１０が積み重なっても、電池１同士の接触による短絡事故の発生を防止することができる。
【００３９】
本変形例において、保持ケース１０の箱形形状は、特に限定されず、電池１の電極面から出し入れ可能な対向する２つも開口端面、及び側面部を有するものであれば、どうような形態のものでもよい。例えば、外形が、平面視で円形のものでけでなく、多角形であってもよい。
【００４０】
（第２の実施形態）
図７（ａ）〜（ｃ）は、本発明の第２の実施形態における電池１を保持ケース（樹脂ケース）１０に保持するステップを示した断面図である。また、図８は、保持ケース１０の平面図である。なお、電池１は、正極面５及び負極面６のみ表示している。
【００４１】
図７（ａ）及び図８に示すように、保持ケース１０は、電池１を、電池１の電極面から出し入れ可能な開口部１２と、電池１の側面又は／及び底面を保持する側面部１３及び底面部１４とを有する。これにより、保持ケース１０内は、電池１が収納される収納部１１が確保されている。また、保持ケース１０は、側面部１３の開口端面１３ａから径方向内側に突出するリング状の突出部１５を有している。ここで、突出部１５は、揺動可能に開口端面１３aに支持されている。また、保持ケース１０の側面部１３又は／及び底面部１４の外表面には、催吐剤が付与されている。
【００４２】
保持ケース１０の側面部１３の内周面には、電池１の側面を付勢する突起部１６が形成されている。突起部１６の形状は特に限定されないが、例えば、図８に示すように、保持ケース１０の側面部１３の周方向に沿って、等間隔に４箇所設けてもよい。また、保持ケース１０の底面部１４には、負極面６を有する突起状電極部が埋設する凹部１４ａが形成されている。
【００４３】
図７（ａ）に示すように、電池１を矢印の方向に保持ケース１０の収納部１１に挿入すると、図７（ｂ）に示すように、電池１の正極面５の周縁部がリング状の突出部１５に当たる。突出部１５を変形可能な弾性部材で構成しておけば、図７（ｂ）に示すように、電池１が保持ケース１０の収納部１１に進入するに従い、突出部１５は変形する。そして、図７（ｃ）に示すように、負極面６を有する突起状電極部が、保持ケース１０の底面部１４に形成された凹部１４ａに埋設される。なお、電池１が突出部１５を通過した後、突出部１５は、その弾性により元の位置まで戻る。この状態で、電池１の側面は、保持ケース１０の側面部１３に形成された突起部１６からの付勢を受けて、収納部１１内に保持される。
【００４４】
本実施形態において、電池１を保持する保持ケース１０の側面部１３又は／及び底面部１４の外表面に催吐剤が付与されているため、万一、幼児が誤って電池１を口に含んだ場合でも、即座に電池を吐き出させ、体内への飲み込みを防止することができる。なお、電池１には、催吐剤が付与されていないため、電池１を電子機器に装着した際、接触不良を起こすことはない。
【００４５】
さらに、負極面６を有する突起状電極部が、保持ケース１０の底面部１４に形成された凹部１４ａに埋設されているため、負極面６と正極面５とは、保持ケース１０の底面部１４によって、互いの絶縁性が確保されている。そのため、交換された電池１を、保持ケース１０に収納して回収すれば、回収の際の短絡事故を防止することができる。
【００４６】
図９は、本実施形態における扁平型電池１を収容した電池包装体２０の構成を模式的に示した図で、図９（ａ）は平面図、図９（ｂ）は図９（ａ）のＢ−Ｂ線に沿った断面図である。
【００４７】
図９（ａ）、（ｂ）に示すように、電池包装体２０は、扁平型電池１を収容する収容室２３が形成されたカバー本体２２と、カバー本体２２の収容室を閉塞する基材２１とで構成されたブリスターパックからなる。ここで、扁平型電池１は、保持ケース１０に保持された状態で、収容室２３に収容されている。なお、基材２１には、電池包装体２０を吊り下げるための孔２４が形成されている。
【００４８】
このような形態で市場に流通した電池包装体２０を購入したユーザは、電池包装体２０から、電池１が保持された保持ケース１０を取り出し、さらに、保持ケース１０から電池１を取り出して、電子機器に装着する。従って、電池包装体２０から取り出された電池１が、電子機器に装着するまで放置されていた場合でも、電池１は保持ケース１０に保持されているため、幼児が電池１を誤飲するのを防止することができる。また、電池１を取り出した保持ケース１０を残しておけば、再び、電池１を保持ケース１０に収納して回収することによって、回収の際の短絡事故を防止することができる。
【００４９】
なお、電池１は、保持ケース１０の底面部１４を電池１方向に押すことによって、突起部１６による付勢に抗して、保持ケース１０から取り出すことができる。特に、保持ケース１０の底面部１４に形成された凹部１４ａは、樹脂の厚みが薄くなっているので、電池１の取り出しがより容易になっている。
【００５０】
ところで、電池１は、図７（ａ）〜（ｃ）に示すように、電池１を、負極面６から挿入すれば、負極面６を有する突起状電極部が、保持ケース１０の底面部１４に形成された凹部１４ａに埋設されるため、正極面５と負極面６との短絡事故を防止することができる。
【００５１】
しかしながら、ユーザは、図１０（ａ）〜（ｃ）に示すように、電池１を、正極面５から挿入することも想定される。
【００５２】
本発明は、このような場合にも、正極面５と負極面６との短絡事故を防止することができる。以下、図１０（ａ）〜（ｃ）を参照しながら説明する。
【００５３】
まず、図１０（ａ）に示すように、電池１を矢印の方向に保持ケース１０の収納部１１に挿入すると、図１０（ｂ）に示すように、電池１の正極面５の周縁部がリング状の突出部１５に当たって、突出部１５は変形する。そして、図１０（ｃ）に示すように、正極面５の外径は、負極面６の外径よりも大きいため、正極面５が保持ケース１０の底面部１４に当たって止まる。なお、電池１が突出部１５を通過した後、突出部１５は、その弾性により元の位置まで戻る。この状態で、電池１の側面は、保持ケース１０の側面部１３に形成された突起部１６からの付勢を受けて、収納部１１内に保持される。
【００５４】
図１１は、図１０（ｃ）に示した状態の保持ケースを拡大した断面図である。
【００５５】
図１１に示すように、保持ケース１０の底面部１４に形成された凹部１４ａには、電池１が埋設されないため、図７（ｃ）に示した状態に比べて、電池１は、凹部１４ａの深さ分だけ、突出部１５側に近づいて、収納部１１内に保持される。
【００５６】
このとき、図１１に示すように、突出部１５の内径Ｌ１が、ガスケット７の露出部における内径Ｌ２よりも小さければ、正極面５は突出部１５によって覆われた状態となる。そのため、交換された電池１を、保持ケース１０に収納して回収しても、正極面５と負極面６との短絡事故は防止できる。
【００５７】
なお、図１１では、突出部１５の径方向内側端部は、電池１の負極面６に当接しているが、当接せずに多少の隙間があっても、正極面５を覆っている限り、正極面５と負極面６との短絡事故を防止することができる。
【００５８】
本実施形態において、保持ケース１０の側面部１３又は／及び底面部１４の外表面に付与した催吐剤の材料は、人が口に入れて吐き出してしまう味を感じる物質であれば、特に限定されない。例えば、苦味物質として、安息香酸デナトニウム、キク抽出物、キハダ抽出物等を用いることができる。また、辛味物質として、カプサイシン、シニグリン等を用いることができる。また、催吐剤を保持ケース１０の外表面に塗布する代わりに、保持ケース１０の樹脂中に、予め催吐剤を混ぜておいてもよい。
【００５９】
本実施形態において、保持ケース１０の材料は特に限定されないが、例えば、ポリプロピレン（ＰＰ）、ポリエチレンテレフタレート（ＰＥＴ）等を用いることができる。また、保持ケース１０の側面部１３、底面部１４、及び突出部１５を、射出成形により一体成形してもよい。あるいは、保持ケース１０の成形時に、変形可能な弾性部材で構成された突出部１５をインサート成形してもよい。
【００６０】
また、保持ケース１０の底面部１４に、扁平型電池１の取扱い等を表示させてもよい。例えば、安全に関する注意事項（誤飲、短絡等）を表示することができる。
【００６１】
本発明は、扁平型電池１を、保持ケース１０に保持した状態で、ブリスターパック等の電池包装体２０の収容室２３に収容したものである。そして、保持ケース１０に、誤飲防止機能及び短絡防止機能を付与することによって、誤飲事故及び短絡事故の発生を防止したものである。また、保持ケース１０は、非常に簡単な構成で形成でき、しかも、電池の規格に合わせて寸法も決められるため、汎用性の高い部品として使用することができる。従って、電池包装体２０に使用するだけでなく、電池保持用の保持ケース１０として使用することも可能である。
【００６２】
図１２は、本実施形態における保持ケース１０の変形例を示した斜視図である。
【００６３】
図７（ａ）、図８に示した保持ケース１０は、保持ケース１０の側面部１３又は／及び底面部１４の外表面に催吐剤を付与することによって、誤飲防止機能を持たせたが、本変形例では、保持ケース１０自身の外形を角形にすることによって、誤飲防止機能を持たせたものである。
【００６４】
図１２に例示した保持ケース１０は、電池１を出し入れする開口端面は、電池１の正極面５とほぼ同径の円形をしており、リング状の突出部１５が、開口端面の周縁部から径方向内側に突出している。一方、保持ケース１０の側面部１３は、平面視で４角形になっている。
【００６５】
本変形例によれば、幼児が誤って電池１が保持された保持ケース１０を口に含んでも、形状が角ばっているため、口の中で違和感を感じ、体内に飲み込むのを防止することができる。なお、保持ケース１０の外形は、平面視で４角形に限らず、多角形であってもよい。
【００６６】
図１３は、本実施形態における保持ケース１０の他の変形例を示した断面図である。
【００６７】
図１３に示すように、保持ケース１０は、電池１を、電池１の電極面から出し入れ可能な開口部１２と、電池の側面又は／及び底面を保持する側面部１３及び底面部１４とを有し、側面部１３から、３つのリング状の突出部１５ａ、１５ｂ、１５ｃが、それぞれ、径方向内側に突出して形成されている。各突出部１５ａ、１５ｂ、１５ｃは、それぞれ、揺動可能に側面部１３に支持されており、かつ、各突出部１５ａ、１５ｂ、１５ｃの内径は、ガスケット（不図示）の露出部における内径よりも小さくなっている。また、底面部１４の中心部には、厚みを薄くした薄肉部１４ｂが形成されている。また、側面部１３と底面部１４との角部は、テーパ状に加工された傾斜面１７を有している。
【００６８】
図１４（ａ）、（ｂ）は、厚みの異なる３種類の電池Ａ、Ｂ、Ｃを、それぞれ、保持ケース１０に保持する（収容する）ステップを示した断面図である。
【００６９】
図１４（ｂ）に示すように、最も厚みの大きい電池Ａが保持ケース１０に収容された状態で、突出部１５ａが、電池Ａの正極面５を覆っている。そして、他の突出部１５ｂ、１５ｃは、変形した状態で、電池Ａの側面を付勢して、電池Ａを保持している。すなわち、本変形例では、突出部１５ａが、図７（ａ）、図８に示した突出部１５に相当し、突出部１５ｂ、１５ｃは、図７（ａ）、図８に示した突起部１６に相当する。
【００７０】
また、図１４（ｂ）に示すように、電池Ａよりも厚みの小さい電池Ｂ、Ｃは、それぞれ、保持ケース１０に収容された状態で、電池Ｂは、突出部１５ｂによって、電池Ｃは、突出部１５ｃによって、電池Ｂ及び電池Ｃの正極面５が覆われている。
【００７１】
このように、保持ケース１０の側面部１３に、高さ方向の位置が異なる複数の突出部１５を設けておくことによって、厚さの異なる電池１に対しても、電池１の正極面５を、何れかの突出部１５で覆うことができる。このことは、図１０（ａ）〜（ｃ）に示したように、電池１を正極面５から保持ケース１０に挿入した場合に、電池１の正極面５を突出部１５で覆うことができるため、交換された電池１を回収する際の短絡事故の防止に、特に有効である。また、保持ケース１０の底面部１４に薄肉部１４ｂを設けておくことによって、保持ケース１０に収納された電池１を、薄肉部１４ｂを押すことにより、容易に、保持ケース１０から取り出すことができる。
【００７２】
以上、本発明を好適な実施形態により説明してきたが、こうした記述は限定事項ではなく、もちろん、種々の改変が可能である。例えば、上記実施形態では、電池包装体として、ブリスターパックを例に説明したが、これに限らず、例えば、筒状の包装フィルムからなるピロー包装体等であってもよい。
【産業上の利用可能性】
【００７３】
本発明は、電子機器の電源として用いられる扁平型電池を収容する電池保持ケースに有用である。
【符号の説明】
【００７４】
１      扁平型電池 
２      負極 
３      正極 
４      セパレータ 
５      電池ケース（正極面） 
６      封口板（負極面） 
７      ガスケット 
１０      保持ケース 
１１      収納部 
１２、１２a、１２ｂ    開口部 
１３      側面部 
１３ａ、１３ｂ    開口端面 
１４      底面部 
１４ａ    凹部 
１４ｂ    薄肉部 
１５、１５ａ、１５ｂ、１５ｃ  突出部 
１６      突起部 
１７      傾斜面 
２０      電池包装体 
２１      基材 
２２      カバー本体 
２３      収容室 
２４      孔 
３０      スリット
【図１】
0005838339.tif 000002
【図２】
0005838339.tif 000003
【図３】
0005838339.tif 000004
【図４】
0005838339.tif 000005
【図５】
0005838339.tif 000006
【図６】
0005838339.tif 000007
【図７】
0005838339.tif 000008
【図８】
0005838339.tif 000009
【図９】
0005838339.tif 000010
【図１０】
0005838339.tif 000011
【図１１】
0005838339.tif 000012
【図１２】
0005838339.tif 000013
【図１３】
0005838339.tif 000014
【図１４】
0005838339.tif 000015